(57)【要約】【課題】各波長光の光強度を動的に制御することのできる光波長多重化装置の光出力レベル制御装置を提供。【解決手段】光出力レベル生成回路190は多重化装置１または２から出力される光出力パワー値１または２に対応する電気信号レベル値１または２を生成し光出力レベルバイト生成回路192に送る。回路192はレベル値１または２を対応する２進数または10進数の光出力値データ１または２に変換し光出力レベルバイト挿入回路186および光出力レベルバイト検出回路194に送る。回路186は高速信号の所定の位置にデータ１または２を多重化し光信号に変換し光可変減衰器200および202に送る。一方、回路194はデータ１とデータ２を光出力レベル検出回路196に送り、回路196はデータ１とデータ２とのレベル差を測定し、測定値に応じた制御信号１および２を生成し、信号１を減衰器200に送り、信号２を減衰器202に送る。減衰器200は装置１からの光信号レベルを信号１に応じて可変し、減衰器202は装置２からの光信号レベルを信号２に応じて可変する。【選択図】図５　
2004007813.tif 000002
【特許請求の範囲】
【請求項１】
　少なくとも第１および第２の多重化装置と、第１の光波長多重化装置とを送信側に有する光伝送システムにおける光波長多重化装置の光出力レベル制御装置において、
　前記第１の多重化装置は、所定の複数の低速光信号を受け、該受けた各低速光信号を対応する電気信号に変換し、該変換された各電気信号を多重化して高速信号を形成する第１の多重化手段と、
　該第１の多重化手段から高速信号を受け、該第１の多重化装置から出力される光出力パワー値に対応する第１の光出力値データを生成して出力し、該生成した第１の光出力値データを該受けた高速信号の所定の位置に挿入し、該第１の光出力データ値の挿入された高速信号を対応する第１の波長値を持つ光信号である第１の高速光信号に変換して出力する第１の送信手段とを有し、
　前記第２の多重化装置は、所定の複数の低速光信号を受け、該受けた各低速光信号を対応する電気信号に変換し、該変換された各電気信号を多重化して高速信号を形成する第２の多重化手段と、
　該第２の多重化手段から高速信号を受け、該第２の多重化装置から出力される光出力パワー値に対応する第２の光出力値データを生成して出力し、該生成した第２の光出力値データを該受けた高速信号の所定の位置に挿入し、該第２の光出力値データの挿入された高速信号を対応する第２の波長値を持つ光信号である第２の高速光信号に変換して出力する第２の送信手段とを有し、
　前記第１の光波長多重化装置は、前記第１の送信手段から第１の光出力値データを受け、かつ前記第２の送信手段から第２の光出力値データを受け、該受けた第１および第２の光出力値データからそのレベル差を測定し、該測定値に応じた第１および第２の制御信号を形成する第１の光レベル制御手段と、
　該第１の光レベル制御手段から第１の制御信号を受け、かつ前記第１の送信手段から第１の高速光信号を受け、該受けた第１の制御信号に応じて該受けた第１の高速光信号のレベルを可変する第１の光可変減衰手段と、
　前記第１の光レベル制御手段から第２の制御信号を受け、かつ前記第２の送信手段から第２の高速光信号を受け、該受けた第２の制御信号に応じて該受けた第２の高速光信号のレベルを可変する第２の光可変減衰手段と、
　前記第１の光可変減衰手段からの第１の高速光信号と前記第２の光可変減衰手段からの第２の高速光信号とを波長多重化する第１の波長多重化手段と、
　該第１の波長多重化手段から高速光信号を受け、第３の制御信号に基づく強度の励起光信号により該受けた高速光信号を増幅する第１の制御光増幅手段とを有することを特徴とする光波長多重化装置の光出力レベル制御装置。
【請求項２】
　請求項１に記載の光出力レベル制御装置において、前記第１の送信手段は、前記第１の多重化装置から出力される光出力パワー値に対応する電気信号レベル値を生成する第１の光出力レベル生成手段と、
　該第１の光出力レベル生成手段からの電気信号レベル値に対応する２進数または10進数からなる第１の光出力値データに変換する第１の光出力レベルバイト生成手段とを含み、
　前記第２の送信手段は、前記第２の多重化装置から出力される光出力パワー値に対応する電気信号レベル値を生成する第２の光出力レベル生成手段と、
　該第２の光出力レベル生成手段からの電気信号レベル値に対応する２進数または10進数からなる第２の光出力値データに変換する第２の光出力レベルバイト生成手段とを含み、
　該第１の送信手段は前記第１の光出力レベルバイト生成手段により変換された２進数または10進数で表現された第１の光出力値データを出力するとともに挿入し、また該第２の送信手段は前記第２の光出力レベルバイト生成手段により変換された２進数または10進数で表現された第２の光出力値データを出力するとともに挿入することを特徴とする光波長多重化装置の光出力レベル制御装置。
【請求項３】
　請求項１または請求項２に記載の光出力レベル制御装置において、前記第１の光レベル制御手段は、第１の送信手段から第１の光出力値データを受け、かつ前記第２の送信手段から第２の光出力値データを受け、該受けた第１および第２の光出力値データを出力する第１の光出力レベルバイト検出手段と、
　該第１の光出力レベルバイト検出手段から第１および第２の光出力値データを受け、該受けたこれらデータのレベル差を測定し、該測定値に応じた第１および第２の制御信号を形成する第１の光出力レベル検出手段とを含むことを特徴とする光波長多重化装置の光出力レベル制御装置。
【請求項４】
　請求項３に記載の光出力レベル制御装置において、
　前記光伝送システムはさらに、第１のネットワーク管理手段を有し、
　該第１のネットワーク管理手段は、前記第１の光出力レベルバイト検出手段に入力される第１および第２の光出力値データまたは該第１の光出力レベルバイト検出手段から出力される第１および第２の光出力値データを受けることを特徴とする光波長多重化装置の光出力レベル制御装置。
【請求項５】
　請求項１ないし請求項４のいずれかに記載の光出力レベル制御装置において、前記光伝送システムの受信側は、少なくとも第３および第４の多重化装置と、第２の光波長多重化装置とを有し、
　該第２の光波長多重化装置は、抽出された第１の光出力値データを受け、かつ抽出された第２の光出力値データを受け、該受けた第１および第２の光出力値データからそのレベル差を測定し、該測定値に応じた第４および第５の制御信号を形成する第２の光レベル制御手段と、
　前記第１の制御光増幅手段からの高速光信号を第１の波長値に対応する高速光信号と第２の波長値に対応する高速光信号とに分波する第１の光分離手段と、
　前記第２の光レベル制御手段から第４の制御信号を受け、かつ該第１の光分離手段から第１の高速光信号を受け、該受けた第４の制御信号に応じて該受けた第１の高速光信号のレベルを可変する第３の光可変減衰手段と、
　前記第２の光レベル制御手段から第５の制御信号を受け、かつ前記第１の光分離手段から第２の高速光信号を受け、該受けた第５の制御信号に応じて該受けた第２の高速光信号のレベルを可変する第４の光可変減衰手段と、
　前記第３の光可変減衰手段からの第１の高速光信号と前記第４の光可変減衰手段からの第２の高速光信号とを波長多重化する第２の波長多重化手段と、
　該第２の波長多重化手段から高速光信号を受け、第６の制御信号に基づく強度の励起光信号により該受けた高速光信号を増幅する第２の制御光増幅手段と
　前記第２の制御光増幅手段からの高速光信号を第１の波長値に対応する高速光信号と第２の波長値に対応する高速光信号とに分波する第２の光分離手段とを有し、
　前記第３の多重化装置は、該第２の光分離手段から第１の波長値に対応する高速光信号を受け、該受けた高速光信号を対応する電気信号に変換し、該変換した高速信号に多重化された第１の光出力値データを抽出し前記第２の光レベル制御手段に出力する第１の受信手段を有し、
　前記第４の多重化装置は、前記第２の光分離手段から第２の波長値に対応する高速光信号を受け、該受けた高速光信号を対応する電気信号に変換し、該変換した高速信号に多重化された第２の光出力値データを抽出し前記第２の光レベル制御手段に出力する第２の受信手段を有することを特徴とする光波長多重化装置の光出力レベル制御装置。
【請求項６】
　請求項５に記載の光出力レベル制御装置において、前記第２の光レベル制御手段は、前記第１の受信手段から第１の光出力値データを受け、かつ前記第２の受信手段から第２の光出力値データを受け、該受けた第１および第２の光出力値データを出力する第２の光出力レベルバイト検出手段と、
　該第２の光出力レベルバイト検出手段から第１および第２の光出力値データを受け、該受けたこれらデータのレベル差を測定し、該測定値に応じた第４および第５の制御信号を形成する第２の光出力レベル検出手段とを含むことを特徴とする光波長多重化装置の光出力レベル制御装置。
【請求項７】
　請求項６に記載の光出力レベル制御装置において、
　前記光伝送システムはさらに、第２のネットワーク管理手段を有し、
　該第２のネットワーク管理手段は、前記第２の光出力レベルバイト検出手段に入力される第１および第２の光出力値データまたは該第２の光出力レベルバイト検出手段から出力される第１および第２の光出力値データを受けることを特徴とする光波長多重化装置の光出力レベル制御装置。
【請求項８】
　少なくとも第１および第２の多重化装置と、第１の光波長多重化装置とを送信側に有する光伝送システムにおける光波長多重化装置の光出力レベル制御装置において、
　前記第１の多重化装置は、所定の複数の低速光信号を受け、該受けた各低速光信号を対応する電気信号に変換し、該変換された各電気信号を多重化して高速信号を形成する第１の多重化手段と、
　該第１の多重化手段から高速信号を受け、該第１の多重化装置から出力される光出力パワー値に対応する第１の光出力値データを生成して出力し、該生成した第１の光出力値データを該受けた高速信号の所定の位置に挿入し、該第１の光出力データ値の挿入された高速信号を対応する第１の波長値を持つ光信号である第１の高速光信号に変換して出力する第１の送信手段とを有し、
　前記第２の多重化装置は、所定の複数の低速光信号を受け、該受けた各低速光信号を対応する電気信号に変換し、該変換された各電気信号を多重化して高速信号を形成する第２の多重化手段と、
　該第２の多重化手段から高速信号を受け、該第２の多重化装置から出力される光出力パワー値に対応する第２の光波長値データを生成して出力し、該生成した第２の光出力値データを該受けた高速信号の所定の位置に挿入し、該第２の光出力値データの挿入された高速信号を対応する第２の波長値を持つ光信号である第２の高速光信号に変換して出力する第２の送信手段とを有し、
　前記第１の光波長多重化装置は、前記第１の送信手段から第１の光出力値データを受け、かつ前記第２の送信手段から第２の光出力値データを受け、該受けた第１および第２の光出力値データからそのレベル差を測定し、該測定値に応じた第１および第２の制御信号を形成する第１の光レベル制御手段と、
　前記第１の送信手段からの第１の高速光信号と前記第２の送信手段からの第２の高速光信号とを波長多重化する第１の波長多重化手段と、
　該第１の波長多重化手段から高速光信号を受け、第３の制御信号に基づく強度の励起光信号により該受けた高速光信号を増幅する第１の制御光増幅手段と、
　該第１の制御光増幅手段からの高速光信号を第１の波長値に対応する高速光信号と第２の波長値に対応する高速光信号とに分波する第１の光分離手段と、
　前記第１の光レベル制御手段から第１の制御信号を受け、かつ該第１の光分離手段から第１の高速光信号を受け、該受けた第１の制御信号に応じて該受けた第１の高速光信号のレベルを可変する第１の光可変減衰手段と、
　前記第１の光レベル制御手段から第２の制御信号を受け、かつ前記第１の光分離手段から第２の高速光信号を受け、該受けた第２の制御信号に応じて該受けた第２の高速光信号のレベルを可変する第２の光可変減衰手段と、
　前記第１の光可変減衰手段からの第１の高速光信号と前記第２の光可変減衰手段からの第２の高速光信号とを波長多重化する第２の波長多重化手段とを有することを特徴とする光波長多重化装置の光出力レベル制御装置。
【請求項９】
　請求項８に記載の光出力レベル制御装置において、前記光伝送システムの受信側は、少なくとも第３および第４の多重化装置と、第２の光波長多重化装置とを有し、
　該第２の光波長多重化装置は、抽出された第１の光出力値データを受け、かつ抽出された第２の光出力値データを受け、該受けた第１および第２の光出力値データからそのレベル差を測定し、該測定値に応じた第４および第５の制御信号を形成する第２の光レベル制御手段と、
　前記第２の波長多重化手段から高速光信号を受け、第６の制御信号に基づく強度の励起光信号により該受けた高速光信号を増幅する第２の制御光増幅手段と、
　該第２の制御光増幅手段からの高速光信号を第１の波長値に対応する高速光信号と第２の波長値に対応する高速光信号とに分波する第２の光分離手段と、
　前記第２の光レベル制御手段から第４の制御信号を受け、かつ該第２の光分離手段から第１の高速光信号を受け、該受けた第４の制御信号に応じて該受けた第１の高速光信号のレベルを可変する第３の光可変減衰手段と、
　前記第２の光レベル制御手段から第５の制御信号を受け、かつ前記第２の光分離手段から第２の高速光信号を受け、該受けた第５の制御信号に応じて該受けた第２の高速光信号のレベルを可変する第４の光可変減衰手段とを有し、
　前記第３の多重化装置は、前記第３の光可変減衰手段から第１の波長値に対応する高速光信号を受け、該受けた高速光信号を対応する電気信号に変換し、該変換した高速信号に多重化された第１の光出力値データを抽出し前記第２の光レベル制御手段に出力する第１の受信手段を有し、
　前記第４の多重化装置は、前記第４の光可変減衰手段から第２の波長値に対応する高速光信号を受け、該受けた高速光信号を対応する電気信号に変換し、該変換した高速信号に多重化された第２の光出力値データを抽出し前記第２の光レベル制御手段に出力する第２の受信手段を有することを特徴とする光波長多重化装置の光出力レベル制御装置。
【発明の詳細な説明】
【技術分野】
【０００１】
　本発明は光波長多重化装置の光出力レベル制御装置に係り、特に多重化装置、光波長多重化装置およびこれらの間を結ぶ光ファイバ伝送路から構成される光伝送システムにおいて、光波長多重化装置から出力される光出力パワーを所定の一定レベルにするに好適な光波長多重化装置の光出力レベル制御装置に関するものである。
【背景技術】
【０００２】
　図14には、従来の光出力レベル制御装置が適用される光波長多重化装置を含む光伝送システムの一例が示されている。図14において、送信側１は送信部からなる二台（＃１、＃２）の多重化装置10および送信部からなる光波長多重化装置12から構成され、受信側２は受信部からなる光波長多重化装置14および受信部からなる二台（＃１、＃２）の多重化装置16から構成されている。
【０００３】
　図14からわかるように、＃１多重化装置10は光ファイバ302、光波長多重化装置12、 光ファイバ314、光波長多重化装置14および光ファイバ324 を介して対向する＃１多重化装置16と接続され、＃２多重化装置10は光ファイバ304、光波長多重化装置12、 光ファイバ314、光波長多重化装置14および光ファイバ326 を介して対向する＃２多重化装置16と接続され、光波長多重化装置12は光ファイバ314 を介して対向する光波長多重化装置14と接続されている。
【０００４】
　図14の光伝送システムでは、＃１多重化装置10はたとえば図示しない３つの低速光信号を多重化して高速光信号（波長λ１）を形成し光波長多重化装置12に送り、また＃２多重化装置10も同様に図示しない３つの低速光信号を多重化して高速光信号（波長λ２）を形成し光波長多重化装置12に送る。光波長多重化装置12は波長λ１とλ２の高速光信号を合波し、合波した高速光信号をデイップスイッチや書き込み・消去可能なメモリなどにより設定された波長多重数（この例では２）の制御信号に基づく強度の励起光信号により所定の一定レベルにまで増幅し光ファイバ314 を介して光波長多重化装置14に送る。
【０００５】
　光波長多重化装置14は光ファイバ314 により減衰を受けた高速光信号をデイップスイッチや書き込み・消去可能なメモリなどにより設定された波長多重数（この例では２）の制御信号に基づく強度の励起光信号により所定の一定レベルにまで増幅して波長ごとに分波し、分波した波長λ１の高速光信号を＃１多重化装置16に送り、分波した波長λ２の高速光信号を＃２多重化装置16に送る。＃１および＃２多重化装置16は各々入力した高速光信号を３つの低速光信号に分離するものである。
【０００６】
　なお光伝送システムは国際電信電話諮問委員会(ITU-T) で勧告(G.707、G.783) された新同期インタフェースに従うSDH 伝送システムに準ずるものである。この場合、上述の低速信号はたとえば日本の電気通信技術委員会(TTC) で勧告された上記勧告に対応するSTM-0 のフレーム構造の信号であり、また高速信号はITU-T で勧告された図15に示すSTM-1 のフレーム構造の信号である。
【０００７】
　図14に示すように、光波長多重化装置12は光多重化回路102、多重数設定回路104、励起光源制御回路106 および励起光源回路110 と光増幅回路112 とからなる光増幅器108 から構成され、また光波長多重化装置14は多重数設定回路104、励起光源制御回路106、励起光源回路110 と光増幅回路112 とからなる光増幅器108 および光分離回路122 から構成されている。光波長多重化装置12および14のうちの多重数設定回路104、励起光源制御回路106 および光増幅器108 は送信側１および受信側２の光出力レベル制御装置を構成している。
【０００８】
　図14の送信側１の動作を説明する。
【０００９】
　＃１および＃２多重化装置10からの波長がα１およびα２の高速光信号302 および304 は光多重化回路102 へ送られる。光多重化回路102 は光合波器から構成されており、光合波器は送られてきた波長λ１およびλ２の高速光信号を合波して光増幅回路112 に送る。光増幅回路112 はこの例では光ファイバ型増幅回路で構成されており、光ファイバ型増幅回路は光多重化回路102 からの高速光信号306 と励起光源回路110 からの励起光信号312 を合波し、合波した光信号のうちの信号光を所定の一定レベルにまで増幅し光ファイバ314 を介して受信側２の光増幅回路112 に送る。
【００１０】
　従来の光出力レベル制御装置について説明する。光増幅回路112 の光増幅利得は励起光源回路110 からの光パワー量つまり励起信号強度により変化させることができる。また光増幅回路112 において光増幅することのできる波長帯はそれぞれ固有の波長帯に限られている。光増幅回路112 がたとえば図16に示す利得特性を有する場合には、1.55μｍ波長帯の複数の波長を一括して増幅することができる。
【００１１】
　たとえば４つの波長を増幅することのできる光増幅器であっても、それを適用する光伝送システムによっては２つの波長または３つの波長を使用する場合がある。これに対応するために、従来は光増幅器108 の他に波長数を設定する多重数設定回路104 および多重数設定回路104 からの波長数に基づいて励起光源回路110 から出力される光パワー量を制御する励起光源制御回路106 が設けられる。
【００１２】
　またたとえばシステムの拡張により２波長から３波長に波長数を増加させたい場合がある。図17はλ１とλ２の各々入力パワーレベル値P1が光出力レベル制御装置によりＡdB増幅され必要な光パワーレベル値P2にまで増幅されたことを示すものであり、この場合、多重数設定回路104 には波長数２が設定されている。図18は図17と同じ波長数の設定状態において、λ３を追加し入力波長数を３としたときの光出力レベル制御装置によりＢdB増幅され光パワーレベル値P3にまで増幅されたことを示すものであり、また必要な光パワーレベル値P2にまで増幅されていないことも示している。
【００１３】
　これについて、別のいい方をするならば、図17では光増幅回路112 の出力314 からはP2＋P2で2P2 の光パワーが出力される。図17の状態において図18のように入力波長数を３にしても、光増幅回路112 の出力314 からは同じ2P2 の光パワーの出力しか得られない。したがって、１波長当たりの出力は2P2/3 となり必要なパワーレベル(P2)に到達しない。いずれにしても、入力波長数が増加した場合には、必要な光パワーレベル値P2まで増幅させるには励起光源回路110 から出力される光パワー量を増加せねばならない。
【００１４】
　またシステムの縮小によりたとえば３波長から２波長に波長数を減少させたい場合がある。図19はλ１〜λ３の３つの入力パワーレベル値P1が光出力レベル制御装置によりＡdB増幅され必要な光パワーレベル値P2にまで増幅されたことを示すものであり、この場合、多重数設定回路104 には波長数３が設定されている。図20は図19と同じ波長数の設定状態において、λ３を削除し入力波長数を２としたときの光出力レベル制御装置によりＣdB増幅され光パワーレベル値P4にまで増幅されたことを示すものであり、また必要な光パワーレベル値P2をこえて増幅されたことを示すものである。このことから、入力波長数が減少した場合は、必要な光パワーレベル値P2まで減少させるためには励起光源回路110 から出力される光パワー量を減少させなければならない。
【００１５】
　図14の受信側２の動作を説明する。
【００１６】
　受信側２の光増幅回路112 は光ファイバ314 により減衰を受けた高速光信号を送信側１と同じように所定の一定レベルにまで増幅し光ファイバ320 を通して光分離回路122 に送る。光分離回路122 は光分波器で構成されており、光分波器は波長λ１およびλ２により合波された入力高速光信号を各波長ごとに分波する。分波した波長λ１の高速光信号は＃１多重化装置16に送られ、分波した波長λ２の高速光信号は＃２多重化装置16に送られる。＃１および＃２多重化装置16は各々入力した高速光信号を３つの低速光信号に分離する。
【００１７】
　上述した従来の波長数を設定する多重数設定回路104 には、デイップスイッチや書き込み・消去可能なメモリたとえばEEPROMなどが用いられている。
【００１８】
　また、図10に示すように、光波長多重化装置に入力する各々多重化装置からの各々異なる波長の光パワーにばらつきがある場合がある。この場合、このままでは、光波長多重化装置から出力される光パワーがばらついてしまうため、従来はその光増幅器の入力側または出力側に波長ごとに、光分岐器、光パワーモニタ、光可変減衰器および光可変減衰器制御回路を設け、光波長多重化装置から出力される波長ごとの光パワーのばらつきを抑えていた。
【発明の開示】
【発明が解決しようとする課題】
【００１９】
　しかしながら、従来のようなデイップスイッチや書き込み・消去可能なメモリなどによる波長多重数設定方式では波長数の変更によりデイップスイッチの再設定や書き込み・消去可能なメモリへの再書き込みを行なわなければいけないという煩わしい問題があった。
【００２０】
　また、波長数の変更によるデイップスイッチの再設定による設定ミスや書き込み・消去可能なメモリへの再書き込みによる書き込みミスが生じるという問題もあった。
【００２１】
　また、各々多重化装置からの各々異なる波長の光パワーにばらつきがある場合には、光波長多重化装置に波長ごとに、光分岐器、光パワーモニタ、光可変減衰器および光可変減衰器制御回路を設ける回路方式のため、回路構成が複雑になるなどの問題があった。
【００２２】
　本発明はこのような従来技術の欠点を解消し、波長数の変更によるデイップスイッチの再設定や書き込み・消去可能なメモリへの再書き込みを不要にでき、また簡単な回路構成で各々多重化装置からの各々異なる波長の光パワーレベルにばらつきがあっても光波長多重化装置から出力される各々異なる波長の光パワーを同じレベルに抑えることのできる光波長多重化装置の光出力レベル制御装置を提供することを目的とする。
【課題を解決するための手段】
【００２３】
　本発明は上述の課題を解決するために、少なくとも第１および第２の多重化装置と、第１の光波長多重化装置とを送信側に有する光伝送システムにおける光波長多重化装置の光出力レベル制御装置において、第１の多重化装置は、所定の複数の低速光信号を受け、受けた各低速光信号を対応する電気信号に変換し、変換された各電気信号を多重化して高速信号を形成する第１の多重化手段と、第１の多重化手段から高速信号を受け、第１の多重化装置から出力される光出力パワー値に対応する第１の光出力値データを生成して出力し、生成した第１の光出力値データを受けた高速信号の所定の位置に挿入し、第１の光出力データ値の挿入された高速信号を対応する第１の波長値を持つ光信号である第１の高速光信号に変換して出力する第１の送信手段とを有し、第２の多重化装置は、所定の複数の低速光信号を受け、受けた各低速光信号を対応する電気信号に変換し、変換された各電気信号を多重化して高速信号を形成する第２の多重化手段と、第２の多重化手段から高速信号を受け、第２の多重化装置から出力される光出力パワー値に対応する第２の光出力値データを生成して出力し、生成した第２の光出力値データを受けた高速信号の所定の位置に挿入し、第２の光出力値データの挿入された高速信号を対応する第２の波長値を持つ光信号である第２の高速光信号に変換して出力する第２の送信手段とを有し、第１の光波長多重化装置は、第１の送信手段から第１の光出力値データを受け、かつ第２の送信手段から第２の光出力値データを受け、受けた第１および第２の光出力値データからそのレベル差を測定し、測定値に応じた第１および第２の制御信号を形成する第１の光レベル制御手段と、第１の光レベル制御手段から第１の制御信号を受け、かつ第１の送信手段から第１の高速光信号を受け、受けた第１の制御信号に応じて受けた第１の高速光信号のレベルを可変する第１の光可変減衰手段と、第１の光レベル制御手段から第２の制御信号を受け、かつ第２の送信手段から第２の高速光信号を受け、受けた第２の制御信号に応じて受けた第２の高速光信号のレベルを可変する第２の光可変減衰手段と、第１の光可変減衰手段からの第１の高速光信号と第２の光可変減衰手段からの第２の高速光信号とを波長多重化する第１の波長多重化手段と、第１の波長多重化手段から高速光信号を受け、第３の制御信号に基づく強度の励起光信号により受けた高速光信号を増幅する第１の制御光増幅手段とを有することを特徴とする。
【発明の効果】
【００２４】
　このように本発明によれば、第１の光可変減衰手段は第１の光レベル制御手段から第１の制御信号を受け、かつ第１の送信手段から第１の高速光信号を受け、受けた第１の制御信号に応じて受けた第１の高速光信号のレベルを可変している。また第２の光可変減衰手段は第１の光レベル制御手段から第２の制御信号を受け、かつ第２の送信手段から第２の高速光信号を受け、受けた第２の制御信号に応じて受けた第２の高速光信号のレベルを可変している。したがって、第１および第２多重化装置から出力される光出力パワーにレベル差があっても第１の光波長多重化装置（送信側）から出力される光出力レベルを必要な所定の一定レベルにすることができる。また、光波長多重化装置は各多重化装置から出力される光出力パワー値に対応する光出力値データを受けてこれら各多重化装置から出力される光出力パワーを監視する回路方式なので、上述した従来の回路構成より簡単になる。
【００２５】
　また、このように本発明によれば、第１のネットワーク管理手段（送信側）は第１の光出力レベルバイト検出手段に入力される第１および第２の光出力値データまたは第１の光出力レベルバイト検出手段から出力される第１および第２の光出力値データを受ける。これにより、第１のネットワーク管理手段は受けた光出力レベルの情報を、たとえばそのモニタに表示する。したがって、このシステムの状態を知ることができ、適切に管理することができる。
【００２６】
　また、このように本発明によれば、第３の光可変減衰手段は第２の光レベル制御手段から第４の制御信号を受け、かつ第１の光分離手段から第１の高速光信号を受け、受けた第４の制御信号に応じて受けた第１の高速光信号のレベルを可変している。また第４の光可変減衰手段は第２の光レベル制御手段から第５の制御信号を受け、かつ第１の光分離手段から第２の高速光信号を受け、受けた第５の制御信号に応じて受けた第２の高速光信号のレベルを可変している。第１および第２多重化装置から出力される光出力パワーにレベル差があっても第２の光波長多重化装置（受信側）から出力される光出力レベルを必要な所定の一定レベルにすることができる。これもまた、光波長多重化装置は各多重化装置から出力される光出力パワー値に対応する光出力値データを受けてこれら各多重化装置から出力される光出力パワーを監視する回路方式なので、上述した従来の回路構成より簡単になる。
【００２７】
　また、このように本発明によれば、第２のネットワーク管理手段（受信側）は第２の光出力レベルバイト検出手段に入力される第１および第２の光出力値データまたは第２の光出力レベルバイト検出手段から出力される第１および第２の光出力値データを受ける。これにより、第２のネットワーク管理手段は受けた光出力レベルの情報を、たとえばそのモニタに表示する。したがって、このシステムの状態を知ることができ、適切に管理することができる。
【００２８】
　また、このように本発明によれば、第１の光可変減衰手段は第１の光レベル制御手段から第１の制御信号を受け、かつ第１の光分離手段から第１の高速光信号を受け、受けた第１の制御信号に応じて受けた第１の高速光信号のレベルを可変している。また第２の光可変減衰手段は第１の光レベル制御手段から第２の制御信号を受け、かつ第１の光分離手段から第２の高速光信号を受け、受けた第２の制御信号に応じて受けた第２の高速光信号のレベルを可変している。第１および第２多重化装置から出力される光出力パワーにレベル差があっても第１の光波長多重化装置（送信側）から出力される光出力レベルを必要な所定の一定レベルにすることができる。また、光波長多重化装置は各多重化装置から出力される光出力パワー値に対応する光出力値データを受けてこれら各多重化装置から出力される光出力パワーを監視する回路方式なので、上述した従来の回路構成より簡単になる。
【００２９】
　また、このように本発明によれば、第３の光可変減衰手段は第２の光レベル制御手段から第４の制御信号を受け、かつ第２の光分離手段から第１の高速光信号を受け、受けた第４の制御信号に応じて受けた第１の高速光信号のレベルを可変している。また第４の光可変減衰手段は第２の光レベル制御手段から第５の制御信号を受け、かつ第２の光分離手段から第２の高速光信号を受け、受けた第５の制御信号に応じて受けた第２の高速光信号のレベルを可変している。第１および第２多重化装置から出力される光出力パワーにレベル差があっても第２の光波長多重化装置（受信側）から出力される光出力レベルを必要な所定の一定レベルにすることができる。これもまた、光波長多重化装置は各多重化装置から出力される光出力パワー値に対応する光出力値データを受けてこれら各多重化装置から出力される光出力パワーを監視する回路方式なので、上述した従来の回路構成より簡単になる。
【発明を実施するための最良の形態】
【００３０】
　次に添付図面を参照して本発明による光波長多重化装置の光出力レベル制御装置の実施例を詳細に説明する。
【００３１】
　図１には本発明の光波長多重化装置の光出力レベル制御装置が適用される光伝送システムの送信側の第１の実施例が示され、図２には図１と対向する本発明の光波長多重化装置の光出力レベル制御装置が適用される光伝送システムの受信側の第１の実施例が示されている。
【００３２】
　図１における送信側１は送信部からなる二台（＃１、＃２）の多重化装置20および送信部からなる光波長多重化装置22から構成され、図２における受信側２は受信部からなる光波長多重化装置24および受信部からなる二台（＃１、＃２）の多重化装置26から構成されている。
【００３３】
　図１および図２からわかるように、＃１多重化装置20は光ファイバ302、光波長多重化装置22、 光ファイバ314、光波長多重化装置24および光ファイバ324 を介して対向する＃１多重化装置26と接続され、＃２多重化装置20は光ファイバ304、光波長多重化装置22、 光ファイバ314、光波長多重化装置24および光ファイバ326 を介して対向する＃２多重化装置26と接続され、光波長多重化装置22は光ファイバ314 を介して対向する光波長多重化装置24と接続されている。
【００３４】
　図１および図２の光伝送システムでは、＃１多重化装置20はこの例では、３つの低速光信号（＃１〜＃３被多重信号）450 〜454 を多重化して高速信号を形成し、この形成した高速信号の所定の位置に10進数または２進数からなる波長λ１の波長値データを多重化して高速光信号（波長λ１）を形成し光ファイバ302 を介して光波長多重化装置22に送るとともに、上記10進数または２進数からなる波長λ１の波長値データを信号線332 を介して光波長多重化装置22に送る。また、＃２多重化装置20も同様に、３つの低速光信号（＃１〜＃３被多重信号）456 〜460 を多重化して高速信号を形成し、この形成した高速信号の所定の位置に10進数または２進数からなる波長λ２の波長値データを多重化して高速光信号（波長λ２）を形成し光ファイバ304 を介して光波長多重化装置22に送るとともに、上記10進数または２進数からなる波長λ２の波長値データを信号線340 を介して光波長多重化装置22に送る。
【００３５】
　光波長多重化装置22は波長λ１とλ２の高速光信号を合波し、合波した高速光信号を信号線332 および340 を介して送られる波長値データから異なる波長数（この例では２）をカウントし、このカウント値に応じた制御信号に基づく強度の励起光信号により所定の一定レベルにまで増幅し光ファイバ314 を介して光波長多重化装置24に送る。
【００３６】
　光波長多重化装置24は光ファイバ314 により減衰を受けた高速光信号を＃１および＃２多重化装置26から信号線356 および358 を介して送られる波長値データから異なる波長数（この例では２）をカウントし、このカウント値に応じた制御信号に基づく強度の励起光信号により所定の一定レベルにまで増幅して波長ごとに分波し、分波した波長λ１の高速光信号を＃１多重化装置26に送り、分波した波長λ２の高速光信号を＃２多重化装置26に送る。
【００３７】
　＃１多重化装置26は入力した高速光信号（波長λ１）を電気信号に変換し、この変換した高速信号の所定の位置に多重化される10進数または２進数からなる波長λ１の波長値データを抽出して信号線356 を介して光波長多重化装置24に送るとともに、変換した高速信号を３つの低速光信号（＃１〜＃３被分離信号）462 〜466 に分離する。また、＃２多重化装置26も同様に入力した高速光信号（波長λ２）を電気信号に変換し、この変換した高速信号の所定の位置に多重化される10進数または２進数からなる波長λ２の波長値データを抽出して信号線358 を介して光波長多重化装置24に送るとともに、変換した高速信号を３つの低速光信号（＃１〜＃３被分離信号）468 〜472 に分離する。
【００３８】
　図１を参照すると、多重化装置20は多重化回路150 および波長値生成回路154 と波長管理バイト生成回路156 と波長管理バイト挿入回路158 と電気・光変換回路160 とからなる送信回路152 から構成され、また光波長多重化装置22は光多重化回路102、励起光源制御回路106、励起光源回路110 と光増幅回路112 とからなる光増幅器108、波長管理バイト検出回路162 および波長数カウント回路164 から構成されている。
【００３９】
　送信側１の光出力レベル制御装置は多重化装置20のうちの波長値生成回路154、波長管理バイト生成回路156 および波長管理バイト挿入回路158 と、光波長多重化装置22のうちの励起光源制御回路106、光増幅器108、波長管理バイト検出回路162 および波長数カウント回路164 とから構成されている。したがって従来の多重化装置10は多重化回路150 および電気・光変換回路160 から構成される。なお、図１において、図14と対応する部分には同じ符号を付して示し、重複説明を省略する。
【００４０】
　多重化回路150 に入力されるこの例では３（＃１〜＃３）つの被多重信号450 〜454 または456 〜460 は、前に少し触れたようにTTC で勧告されたSTM-0 のフレーム構造を持つ信号である。多重化回路150 はこれら信号を多重化しSTM-1 のフレーム構造の信号を形成し出力336 に出力する。出力336 は波長管理バイト挿入回路158 の対応する入力と接続されている。
【００４１】
　波長値生成回路154 は、この例では、ディップスイッチ回路またはリードオンリーメモリ(ROM) から構成され、10進数で表現される波長値を生成する機能部である。生成された波長値は信号線330 を通して波長管理バイト生成回路136 に送られる。
【００４２】
　詳細には、＃１多重化装置20の波長値生成回路154 はこの例では図４(a) に示す波長値が1530nm（λ１）の10進数で表現される信号を生成し、＃２多重化装置20の波長値生成回路154 はこの例では図４(b) に示す波長値が1540nm（λ２）の10進数で表現される信号を生成する。
【００４３】
　1530nmを例にとり、波長値生成回路154 から出力される信号について、さらに詳述する。この例では一の位は０であり、十の位は３であり、百の位は５であり、千の位は１である。ROM の場合は、そのROM に一の位の０を「0000」の４ビットのデータとして記憶し、十の位の３を「0011」の４ビットのデータとして記憶し、百の位の５を「0101」の４ビットのデータとして記憶し、千の位の１を「0001」の４ビットのデータとして記憶する。なお、ROM の場合は、図示してないが波長管理バイト生成回路156 から読み出し制御信号が送られデータが読み出される。
【００４４】
　またディップスイッチ回路の場合は、一の位を構成するスイッチ回路が「0000」の４ビットのデータを出力し、十の位を構成するスイッチ回路が「0011」の４ビットのデータを出力し、百の位を構成するスイッチ回路が「0101」の４ビットのデータを出力し、千の位を構成するスイッチ回路が「0001」の４ビットのデータを出力するのでよい。
【００４５】
　なおこの例では、ROM に10進数で表現される波長値データを記憶し、ディップスイッチ回路に10進数で表現される波長値データを設定する方法としたが、ROM に２進数で表現される波長値データを記憶し、ディップスイッチ回路に２進数で表現される波長値データを設定する方法でもよい。
【００４６】
　波長管理バイト生成回路156 の出力に接続される出力線332 または340 は、この例では複数の信号線から構成されている。波長管理バイト生成回路156 は入力330 から入力する10進数の波長値データの前に所定のフレーム同期信号の付加されたフレーム信号を形成して出力線332 または340 中の所定の信号線に出力し、また、この10進数の波長値データおよびフレーム同期信号に同期したクロック信号を出力線332 または340 中の上記所定の信号線と異なる信号線に出力する。波長管理バイト生成回路156 はまた、上記10進数の波長値データを出力334 に出力する。
【００４７】
　なおこの例では、波長管理バイト生成回路156 はフレーム同期信号に10進数の波長値データの付加されたフレーム構造の信号とこの信号に同期したクロック信号の２種類の信号をそれぞれ別の信号線で波長管理バイト検出回路162 に送る方式としたが、オーバヘッドアクセス機能( 勧告G.783)を用いて波長管理バイト検出回路162 に送る方式でもよい。この方式の場合は10進数の波長値データ、Ｄバイトにおける先頭のD1バイトの位置を示すフレームパルス(FP)、およびこれら波長値データおよびフレームパルスに同期したクロック信号の３種類の信号をそれぞれ別々の信号線で波長管理バイト検出回路162 に送るのでよい。
【００４８】
　＃１多重化装置20の波長管理バイト生成回路156 は、D1バイトのタイミングにおいては図4(a)に示す１バイト目のデータを、またD2バイトのタイミングにおいては図4(a)に示す２バイト目のデータをそれぞれ出力334 に出力する。同様に＃２多重化装置20の波長管理バイト生成回路156 もD1バイトのタイミングにおいては図4(b)に示す１バイト目のデータを、D2バイトのタイミングにおいては図4(b)に示す２バイト目のデータをそれぞれ出力334 に出力する。出力332 および340 は波長管理バイト検出回路162 の対応する入力とそれぞれ接続されている。この場合、波長値データが２バイトなので、D3バイトは未使用である。
【００４９】
　なおこの例では、波長管理バイト生成回路156 はD1、D2バイトのそれぞれのタイミングに同期してそれぞれ所定のデータを送る方式としたが、上述のオーバヘッドアクセス機能を用いれば、所定のデータを送るだけでよい。
【００５０】
　前に触れたように、多重化回路150 から波長管理バイト挿入回路158 に送られる信号は図15に示すような構造を持つSTM-1 フレーム信号であり、そのフレーム信号は伝送路管理情報エリア（セクションオーバヘッド：SOH ）および多重化情報を収容する主情報エリア（ペイロード）から構成されている。SOH はRSOH(Regenerator Section Over Head)、ポインタおよびMSOH(Multiplex Section Over Head) に分類される。SDH 伝送システムでは多重化装置は、STM-1 フレーム内のSOH の９行すべての処理を行なっている。
【００５１】
　具体的には、多重化回路150 から波長管理バイト挿入回路158 にはD1〜D3バイトが未使用のSTM-1 フレーム信号が送られる。多重化回路150 からのD1バイトのタイミングに同期して波長管理バイト生成回路156 から波長管理バイト挿入回路158 に図4(a)または図4(b)に示す１バイト目のデータが、またD2バイトのタイミングに同期して図4(a)または図4(b)に示す２バイト目のデータがそれぞれ送られる。これにより、波長管理バイト挿入回路158 の出力338 からはD1〜D2バイトの位置に２進数で表現された波長値データの多重化されたSTM-1 フレーム信号が出力される。出力338 は電気・光変換回路160 に接続されている。
【００５２】
　＃１多重化装置20の電気・光変換回路160 は波長がλ１の半導体レーザおよびその駆動回路から構成され、入力338 から入力した信号（シリアル論理データ）を駆動回路を介して半導体レーザに送り、この送られてきた論理データを光強度信号に変換して光ケーブル302 に出力する。同様に＃２多重化装置20の電気・光変換回路160 は波長がλ２の半導体レーザおよびその駆動回路から構成され、入力338 から入力した信号（シリアル論理データ）を駆動回路を介して半導体レーザに送り、この送られてきた論理データを光強度信号に変換して光ケーブル304 に出力する。
【００５３】
　波長管理バイト検出回路162 は、入力332 および340 （または入力356 および358 ）から入力する＃１および＃２多重化装置20（または＃１および＃２多重化装置26）から出力される波長λ１およびλ２に対応する２バイトからなる波長値データλ１およびλ２をそれぞれ検出し、これら検出した波長値データλ１およびλ２を出力342 に出力する。出力342 は波長数カウント回路164 に接続されている。
【００５４】
　波長数カウント回路164 は入力342 から入力する波長値データから異なる波長値データがいくつあるかをカウントし、このカウントに基づく波長数を出力308 に出力する回路である。この例では２を示すデータが出力308 から出力される。出力308 は励起光源制御回路106 と接続されている。
【００５５】
　図２を参照すると、光波長多重化装置24は励起光源制御回路106、励起光源回路110 と光増幅回路112 とからなる光増幅器108、光分離回路122、波長管理バイト検出回路162 および波長数カウント回路164 から構成され、 また、多重化装置26は光・電気変換回路174 と波長管理バイト抽出回路176 と波長管理バイト解釈回路178 とからなる受信回路172 および分離回路180 から構成されている。
【００５６】
　受信側２の光出力レベル制御装置は、光波長多重化装置24のうちの励起光源制御回路106、光増幅器108、波長管理バイト検出回路162 および波長数カウント回路164 と、多重化装置26のうちの波長管理バイト抽出回路176 および波長管理バイト解釈回路178 とから構成されている。したがって従来の多重化装置16は光・電気変換回路174 および分離回路180 から構成される。なお、図２において、図１および図14と対応する部分には同じ符号を付して示し、重複説明を省略する。
【００５７】
　光・電気変換回路174 の入力324 または入力326 から入力する高速光信号は、＃１または＃２多重化装置20からのRSOH内のD1〜D2バイトに、10進数からなる波長値データλ１またはλ２の多重化されたSTM-1 のフレーム構造を持つ信号である。
【００５８】
　光・電気変換回路174 は受光素子と増幅器から構成され、光ファイバ324 または326 から入力する光強度信号を受光して電気信号に変換し、この変換した電気信号を増幅器で所定のレベルにまで増幅して出力350 に出力する光電気変換回路である。この回路からはSTM-1 のフレーム構造を持つシリアル論理データ（高速信号）が出力される。出力350 は波長管理バイト抽出回路176 の入力と接続されている。
【００５９】
　波長管理バイト抽出回路176 は入力350 から入力する信号をそのまま出力352 に出力するとともに、入力350 から入力する信号に含まれるD1〜D2バイトの10進数からなる波長値データλ１またはλ２を抽出して出力354 に出力する回路である。出力354 は光波長管理バイト解釈回路178 の入力と接続されている。
【００６０】
　なおこの例では、波長管理バイト抽出回路176 はD1、D2バイトのそれぞれのタイミングに同期して波長値データλ１またはλ２を抽出する方式としたが、上述したオーバヘッドアクセス機能を用いて上記波長値データλ１またはλ２を抽出する方式でもよい。
【００６１】
　波長管理バイト解釈回路178 の出力に接続される出力線356 または358 は、この例では複数の信号線から構成されている。波長管理バイト解釈回路178 は入力354 から入力する10進数の波長値データλ１またはλ２の前に所定のフレーム同期信号の付加されたフレーム信号を形成して出力線356 または358 中の所定の信号線に出力し、またこの10進数の波長値データλ１またはλ２およびフレーム同期信号に同期したクロック信号を出力線356 または358 中の上記所定の信号線と異なる信号線に出力する。
【００６２】
　なおこの例では、波長管理バイト解釈回路178 はフレーム同期信号に10進数の波長値データの付加されたフレーム構造の信号とこの信号に同期したクロック信号の２種類の信号をそれぞれ別の信号線で波長管理バイト検出回路162 に送る方式としたが、オーバヘッドアクセス機能を用い10進数の波長値データ、Ｄバイトにおける先頭のD1バイトの位置を示すフレームパルス(FP)、およびこれら波長値データおよびフレームパルスに同期したクロック信号の３種類の信号をそれぞれ別々の信号線で波長管理バイト検出回路162 に送る方式でよい。
【００６３】
　分離回路180 は入力352 から入力するSTM-1 のフレーム構造の信号をこの例では上述した３（＃１〜＃３）つの被分離信号462 〜466 または468 〜472 にそれぞれ分離する回路である。
【００６４】
　なお、この例では波長管理バイト検出回路162 内の回路構成は多重化装置の数が２個だから２回路構成になっているが、たとえば多重化装置の数が３個の場合は３回路構成でよい、つまり多重化装置の数に対応する数の回路構成でよい。
【００６５】
　図１および図２の動作を説明する。
【００６６】
　＃１および＃２多重化装置20の多重化回路150 はそれぞれ入力する３つの＃１〜＃３被多重信号（STM-0 フレーム信号）450 〜454 および456 〜460 を多重化して高速信号（STM-1 フレーム信号）を形成して波長管理バイト挿入回路158 に送る。また、＃１多重化装置20の波長値生成回路154 は10進数からなる波長λ１の波長値データを生成して波長管理バイト生成回路156 に送り、波長管理バイト生成回路156 は、10進数からなる波長λ１の波長値データを波長管理バイト挿入回路158 に送るとともに、10進数からなる波長λ１の波長値データを信号線332 を介して光波長多重化装置22の波長管理バイト検出回路162 に送る。波長管理バイト挿入回路158 は送られてきた高速信号のD1およびD2バイトの位置に送られてきた10進数からなる波長λ１の波長値データを多重化して電気・光変換回路160 に送る。電気・光変換回路160 は、送られてきた電気信号である高速信号を光信号である高速光信号（波長λ１）に変換し光ファイバ302 を介して光波長多重化装置22の光多重化回路102 に送る。
【００６７】
　また＃２多重化装置20の波長値生成回路154 も同様に、10進数からなる波長λ２の波長値データを生成して波長管理バイト生成回路156 に送り、波長管理バイト生成回路156 は10進数からなる波長λ２の波長値データを波長管理バイト挿入回路158 に送るとともに、10進数からなる波長λ2 の波長値データを信号線340 を介して光波長多重化装置22の波長管理バイト検出回路162 に送る。波長管理バイト挿入回路158 は送られてきた高速信号のD1およびD2バイトの位置に送られてきた10進数からなる波長λ２の波長値データを多重化して電気・光変換回路160 に送る。電気・光変換回路160 は送られてきた電気信号である高速信号を光信号である高速光信号（波長λ２）に変換し光ファイバ304 を介して光波長多重化装置22の光多重化回路102 に送る。
【００６８】
　光多重化回路102 は光ファイバ302 からの波長λ１の高速光信号と光ファイバ304 からの波長λ２の高速光信号を合波して光増幅回路112 に送る。一方、波長管理バイト検出回路162 は信号線332 からの波長値データλ１と信号線340 からの波長値データλ２を検出して波長数カウント回路164 に送り、波長数カウント回路164 は入力した波長値データから波長値の異なる波長数をカウントし、そのカウント値（この場合２を示す信号）を励起光源制御回路106 に送る。励起光源制御回路106 は、カウント値に基づく制御信号を形成して励起光源回路110 に送り、励起光源回路110 は送られてきた制御信号に応じた強度の励起光信号を光増幅回路112 に送る。光増幅回路112 は光多重化回路102 からの高速光信号と励起光源回路110 からの励起光信号を合波し、合波した光信号のうちの信号光を所定の一定レベルにまで増幅し光ファイバ314 を介して受信側２の光増幅回路112 に送る。
【００６９】
　受信側２の光増幅回路112 は光ファイバ314 により減衰を受けた高速光信号と後述する励起光源回路110 からの励起光信号を合波し、合波した光信号のうちの信号光を所定の一定レベルにまで増幅して光分離回路122 に送る。光分離回路122 は増幅した高速光信号に含まれる異なる波長を波長ごとに分波し、分波した波長λ１の高速光信号を＃１多重化装置26の光・電気変換回路174 に送り、分波した波長λ２の高速光信号を＃２多重化装置26の光・電気変換回路174 に送る。
【００７０】
　＃１多重化装置26の光・電気変換回路174 は入力した高速光信号（波長λ１）を電気信号に変換し、この変換した高速信号を波長管理バイト抽出回路176 に送る。波長管理バイト抽出回路176 は受けた高速信号のD1およびD2バイトの位置に多重化される10進数からなる波長λ１の波長値データを抽出して波長管理バイト解釈回路178 に送るとともに、受けた高速信号を分離回路180 に送る。分離回路180 は受けた高速信号を３つの低速光信号（＃１〜＃３被分離信号）462 〜466 にそれぞれ分離して出力する。波長管理バイト解釈回路178 は受けた波長値データλ１を信号線356 を介して光波長多重化装置24の波長管理バイト検出回路162 に送る。
【００７１】
　また、＃２多重化装置26の光・電気変換回路174 も同様に入力した高速光信号（波長λ２）を電気信号に変換し、この変換した高速信号を波長管理バイト抽出回路176 に送る。波長管理バイト抽出回路176 は、受けた高速信号のD1およびD2バイトの位置に多重化される10進数からなる波長λ２の波長値データを抽出して波長管理バイト解釈回路178 に送るとともに、受けた高速信号を分離回路180 に送る。分離回路180 は受けた高速信号を３つの低速光信号（＃１〜＃３被分離信号）468 〜472 にそれぞれ分離して出力する。波長管理バイト解釈回路178 は受けた波長値データλ２を信号線358 を介して光波長多重化装置24の波長管理バイト検出回路162 に送る。
【００７２】
　波長管理バイト検出回路162 は、信号線356 からの波長値データλ１と信号線358 からの波長値データλ２を検出して波長数カウント回路164 に送り、波長数カウント回路164 は入力した波長値データから波長値の異なる波長数をカウントし、そのカウント値（この場合２を示す信号）を励起光源制御回路106 に送る。励起光源制御回路106 は、カウント値に基づく制御信号を形成して励起光源回路108 に送り、励起光源回路108 は送られてきた制御信号に応じた強度の励起光信号を光増幅回路112 に送る。この励起光信号が上述した光増幅回路112 に送られる信号である。
【００７３】
　このような第１の実施例によれば、＃１多重化装置20はその装置から出力される波長λ１の波長値データを生成して光波長多重化装置22に送るとともに、その装置から出力される信号の所定の位置にこの生成した波長値データλ１を多重化して光波長多重化装置22に送っている。＃２多重化装置20もまた、その装置から出力される波長λ２の波長値データを生成して光波長多重化装置22に送るとともに、その装置から出力される信号の所定の位置にこの生成した波長値データλ２を多重化して光波長多重化装置22に送っている。
【００７４】
　光波長多重化装置22は＃１と＃２の多重化装置20から送られてきた波長λ１とλ２の高速光信号を合波し、＃１と＃２の多重化装置20から送られてきた波長値データから異なる波長数（この例では２）をカウントし、このカウント値に応じた制御信号に基づく強度の励起光信号により上記合波した高速光信号を所定の一定レベルにまで増幅して光波長多重化装置24に送っている。このように、波長数を自動的に認識するから光波長多重化装置22から出力される光出力レベルを必要な所定の一定レベルにすることができる。
【００７５】
　＃１多重化装置26は光波長多重化装置24から出力される信号の所定の位置に多重化された波長値データλ１を抽出して光波長多重化装置24に送っている。また＃２多重化装置26も光波長多重化装置24から出力される信号の所定の位置に多重化される波長値データλ２を抽出して光波長多重化装置24に送っている。
【００７６】
　光波長多重化装置24は＃１と＃２の多重化装置26から送られてきた波長値データの異なる波長数による制御信号に基づく強度の励起光信号により光波長多重化装置22からの高速光信号を所定の一定レベルにまで増幅して＃１および＃２の多重化装置26に送っている。このように、波長数を自動的に認識するから光波長多重化装置24から出力される光出力レベルを必要な所定の一定レベルにすることができる。
【００７７】
　なお当然、光波長多重化装置における波長多重数が増加しても、その波長管理バイト検出回路と増加による多重化装置の波長管理バイト検出回路とをさらに接続すれば、その光波長多重化装置は増加による波長数を自動的に認識するから、その出力から出力される光出力レベルを必要な所定の一定レベルにすることができる。このように第１の実施例は、上記構成により波長数の増減に対応できるという効果を有している。
【００７８】
　図５には本発明の光波長多重化装置の光出力レベル制御装置が適用される光伝送システムの送信側の第２の実施例が示されている。図５は送信部からなる二台（＃１、＃２）の多重化装置28および送信部からなる光波長多重化装置30から構成されている。図５からわかるように、＃１多重化装置28は信号線368 および光ファイバ372 を介して光波長多重化装置30と接続され、＃２多重化装置28は信号線374 および光ファイバ376 を介して光波長多重化装置30と接続されている。
【００７９】
　図５の光伝送システムでは＃１多重化装置28は３つの低速光信号（＃１〜＃３被多重信号）450 〜454 を多重化して高速信号を形成し、この形成した高速信号の所定の位置に２進数または10進数からなる自装置28の光出力レベル値に対応したデジタルデータを多重化して高速光信号（波長λ１）を形成し光ファイバ372 を介して光波長多重化装置30に送るとともに、上記２進数または10進数からなる光出力レベル値に対応したデジタルデータを信号線368 を介して光波長多重化装置30に送る。また＃２多重化装置28も同様に、３つの低速光信号（＃１〜＃３被多重信号）456 〜460 を多重化して高速信号を形成し、この形成した高速信号の所定の位置に２進数または10進数からなる自装置28の光出力レベル値に対応したデジタルデータを多重化して高速光信号（波長λ２）を形成し光ファイバ376 を介して光波長多重化装置30に送るとともに、上記２進数または10進数からなる光出力レベル値に対応したデジタルデータを信号線374 を介して光波長多重化装置30に送る。
【００８０】
　光波長多重化装置30は信号線368 および374 を介して送られるデジタルデータからそのレベル差を測定し、このレベル差に基づくこの例では２つの制御信号を生成し、この生成した各々制御信号に応じて光ファイバ372 および376 を介して送られる波長λ１およびλ２の高速光信号レベルを各々制御して各々同じレベル値とし、この同じレベル値の高速光信号を合波し、この合波した高速光信号を所定の制御信号に基づく強度の励起光信号により所定のレベルにまで増幅し光ファイバ314 に出力する。
【００８１】
　図５を参照すると、多重化装置28は多重化回路150 および光出力レベルバイト挿入回路186 と電気・光変換回路188 と光出力レベル生成回路190 と光出力レベルバイト生成回路192 とからなる送信回路184 から構成され、また光波長多重化装置30は光多重化回路102、励起光源回路110 と光増幅回路112 とからなる光増幅器108、光出力レベルバイト検出回路194、光出力レベル検出回路196、光可変減衰器制御回路198、光可変減衰器200、202 および励起光源制御回路204 から構成されている。
【００８２】
　送信側の光出力レベル制御装置は多重化装置28のうちの送信回路184 と、光波長多重化装置30のうちの光出力レベルバイト検出回路194 と、光出力レベル検出回路196 と、光可変減衰器制御回路198 と、光可変減衰器200 および202 とから構成されている。なお、図５において、図１および図14と対応する部分には同じ符号を付して示し、重複説明を省略する。
【００８３】
　光出力レベルバイト挿入回路186 については後述する。電気・光変換回路188 の入力362 には、多重化回路150 からの出力信号に光出力レベルバイト生成回路192 からの光出力レベル値データの多重化された信号が送られる。
【００８４】
　電気・光変換回路188 は波長がλ１またはλ２の半導体レーザ、半導体レーザの駆動回路、半導体レーザからの光信号を２つの光信号に分岐する光分岐器から構成されている。入力362 から入力する信号は駆動回路を介して半導体レーザに送られる。半導体レーザはこの送られてきた信号を光強度信号に変換して光分岐器に送る。光分岐器は入力した光強度信号を２つの光強度信号に分岐する。分岐された１つの光信号は光ファイバ364 を通して光出力レベル生成回路190 に送られ、もう１つの光信号は光ファイバ372 または376 を通して光可変減衰器200 または202 に送られる。
【００８５】
　なお、この例では電気・光変換回路188 の出力372 または376 から出力される光出力レベルの監視用の信号としては光信号が用いられ、その光信号は電気・光変換回路188 の出力364 から出力される回路方式となっているが、監視用の信号として半導体レーザの駆動電流値に応じる信号を信号線を通して光出力レベル生成回路190 に送る回路方式でもよい。
【００８６】
　光出力レベル生成回路190 は光強度検出器で構成され、この光強度検出器は入力364 から入力する光入力レベル値を対応する電気信号レベル値に変換して出力366 に出力する変換回路である。出力366 は出力レベルバイト生成回路192 の入力と接続されている。
【００８７】
　光出力レベルバイト生成回路192 の出力に接続される出力線368 または374 はこの例では複数の信号線から構成されている。光出力レベルバイト生成回路192 は、入力366 から入力した電気信号レベル値（または上述の半導体レーザの駆動電流値）に対応する１バイトからなるデジタルデータ（図９参照）の前に所定のフレーム同期信号の付加されたフレーム信号を形成して出力線368 または374 中の所定の信号線に出力し、このデジタルデータ値およびフレーム同期信号に同期したクロック信号を出力線368 または374 中の上記所定の信号線と異なる信号線に出力する。また出力レベルバイト生成回路192 は上述したデジタルデータ値を出力370 に出力する。出力370 は光出力レベルバイト挿入回路186 の対応する入力と接続されている。
【００８８】
　なおこの例では、光出力レベルバイト生成回路192 はフレーム同期信号にデジタルデータ値の付加されたフレーム構造の信号とこの信号に同期したクロック信号の２種類の信号をそれぞれ別の信号線で光出力レベルバイト検出回路194 に送る方式としたが、上述したオーバヘッドアクセス機能を用い、１バイトからなるデジタルデータ、Ｄバイトにおける先頭のD1バイトの位置を示すフレームパルス(FP)、およびこれらデジタルデータおよびフレームパルスに同期したクロック信号の３種類の信号をそれぞれ別々の信号線で光出力レベルバイト検出回路194 に送る方式でもよい。
【００８９】
　この例では多重化回路150 から光出力レベルバイト挿入回路186 にD1〜D3バイトが未使用のSTM-1 フレーム信号が送られる。多重化回路150 からのD1バイトのタイミングに同期して、光出力レベルバイト生成回路192 から光出力レベルバイト挿入回路186 に図９に示すような１バイトからなデジタルデータが送られる。これにより、光出力レベルバイト挿入回路186 の出力362 からはD1バイトの位置にデジタルデータの多重化されたSTM-1 フレーム信号が出力される。出力362 は電気・光変換回路188 に接続されている。
【００９０】
　なおこの例では、光出力レベルバイト生成回路192 はD1バイトのタイミングに同期して所定のデータを光出力レベルバイト挿入回路186 に送る方式としたが、上述のオーバヘッドアクセス機能を用いれば、所定のデータを光出力レベルバイト挿入回路186 に送るだけでよい。
【００９１】
　なおまた、この例では、光出力レベルバイト生成回路192 は光出力レベル値を２進数に変換してなる生成方式としたが、光出力レベル値を10進数に変換してなる生成方式でもよい。
【００９２】
　光出力レベルバイト検出回路194 は入力368 および374 から入力する＃１多重化装置28および＃２多重化装置28から出力される光出力レベル値に対応する１バイトからなデジタルデータをそれぞれ検出し、これら検出したデジタルデータを出力378 に出力する。出力378 は光出力レベル検出回路196 の入力と接続されている。
【００９３】
　光出力レベル検出回路196 は入力378 から入力するこの例では２つのデジタルデータ値がいくであるかをカウントし、さらにそのレベル差がいくつあるかをカウントし、信号線380 を介して光可変減衰器制御回路198 に送る。光可変減衰器制御回路198 は、入力したそのレベル差に基づく制御信号を生成し、出力382 および384 に出力する回路である。出力382 は光可変減衰器200 と接続され、出力384 は光可変減衰器202 と接続されている。
【００９４】
　可変減衰器200 および202 は、入力382 および384 から入力する制御信号に応じてその減衰素子を回転する構造になっている。減衰素子はこの例では回転角に対応して蒸着厚膜を連続に変えてあり、連続した減衰量を与える構造となっている。したがって、可変減衰器200 は入力372 から入力する光レベルを入力382 から入力する制御信号に応じて減衰し出力302 に出力する。同様に可変減衰器202 も入力376 から入力する光レベルを入力384 から入力する制御信号に応じて減衰し出力304 に出力する。これにより出力302 および304 から出力される光レベルは同一のレベル値になるように制御される（図11参照）。なおこの例では、可変減衰器200 および202 の減衰素子は回転角に対応して蒸着厚膜を連続に変えるものを用いたが、回転角に対応してステップ的に減衰量を変えるものを用いてもよい。
【００９５】
　励起光源制御回路204 はたとえば増幅度がP αdBになるような制御信号を出力310 に出力する。これにより光増幅回路112 の出力からは図11(c) に示すようなレベル値の光信号が出力される。
【００９６】
　図５の動作を説明する。
【００９７】
　＃１および＃２多重化装置28の多重化回路150 は、それぞれ入力する３つの＃１〜＃３被多重信号（STM-0 フレーム信号）450 〜454 および456 〜460 を多重化して高速信号（STM-1 フレーム信号）を形成して光出力レベルバイト挿入回路186 に送る。また＃１多重化装置28の光出力レベル生成回路190 は電気・光変換回路188 から出力される光出力レベルに対応する電気信号レベル値を生成して光出力レベルバイト生成回路192 に送る。光出力レベルバイト生成回路192 は入力した電気信号レベル値を対応する２進数からなるデジタルデータ値に変換して光出力レベルバイト挿入回路186 に送るとともに、２進数からなるデジタルデータを信号線368 を介して光波長多重化装置30の光出力レベルバイト検出回路194 に送る。光出力レベルバイト挿入回路186 は送られてきた高速信号のD1バイトの位置に送られてきた２進数からなるデジタルデータを多重化して電気・光変換回路188 に送る。電気・光変換回路188 は送られてきた電気信号である高速信号を光信号である高速光信号（波長λ１）に変換し光ファイバ372 を介して光波長多重化装置30の光可変減衰器200 に送る。
【００９８】
　また、＃２多重化装置28の光出力レベル生成回路190 も同様に、電気・光変換回路188 から出力される光出力レベルに対応する電気信号レベル値を生成して光出力レベルバイト生成回路192 に送る。光出力レベルバイト生成回路192 は入力した電気信号レベル値を対応する２進数からなるデジタルデータ値に変換して光出力レベルバイト挿入回路186 に送るとともに、２進数からなるデジタルデータを信号線374 を介して光波長多重化装置30の光出力レベルバイト検出回路194 に送る。光出力レベルバイト挿入回路186 は送られてきた高速信号のD1バイトの位置に送られてきた２進数からなるデジタルデータを多重化して電気・光変換回路188 に送る。電気・光変換回路188 は送られてきた電気信号である高速信号を光信号である高速光信号（波長λ２）に変換し光ファイバ376 を介して光波長多重化装置30の光可変減衰器202 に送る。
【００９９】
　光出力レベルバイト検出回路194 は、信号線368 からのデジタルデータと信号線374 からのデジタルデータを検出して光出力レベル検出回路196 に送り、光出力レベル検出回路196 は入力したデジタルデータにおけるレベル差を測定し、光可変減衰器制御回路198 に送る。光可変減衰器制御回路198 は、入力したレベル差に基づく制御信号382 および384 を生成し、生成した制御信号382 を光可変減衰器200 に送り、生成した制御信号384 を光可変減衰器202 に送る。光可変減衰器200 は制御信号382 に応じて光ファイバ372 を介して送られる波長λ１の高速光信号レベルを制御して出力302 に出力し、また光可変減衰器202 も制御信号384 に応じて光ファイバ376 を介して送られる波長λ２の高速光信号レベルを制御して出力304 に出力する。これにより出力302 および304 は各々同じレベル値となる。
【０１００】
　この同じレベル値の高速光信号は光多重化回路102 に送られ合波され光増幅回路112 に送られる。また励起光源制御回路204 は所定の制御信号を形成して励起光源回路110 に送り、励起光源回路110 は送られてきた制御信号に応じた強度の励起光信号を光増幅回路112 に送る。光増幅回路112 は光多重化回路102 からの高速光信号と励起光源回路110 からの励起光信号を合波し、合波した光信号のうちの信号光を所定のレベルにまで増幅し出力314 に出力する。
【０１０１】
　このような第２の実施例によれば、光波長多重化装置30は＃１および＃２の多重化装置28から送られてきたデジタルデータのレベル差を測定し、このレベル差に基づくこの例では２つの制御信号を生成し、この生成した各々制御信号に応じて光ファイバ372 および376 を介して送られる波長λ１およびλ２の高速光信号レベルを各々制御して各々同じレベル値とし、この同じレベル値の高速光信号を合波し、この合波した高速光信号を所定の制御信号に基づく強度の励起光信号により所定のレベルにまで増幅し光ファイバ314 に出力している。このように、＃１および＃２多重化装置28から出力される光出力パワーにレベル差があっても光波長多重化装置30から出力される光出力レベルを必要な所定の一定レベルにすることができる。
【０１０２】
　なお、従来はたとえば図10に示すようにレベル差があった。このように、光波長多重化装置に入力する光パワーが波長ごとにばらつきを持つ場合、光波長多重化装置から出力される光パワーが波長ごとにばらついてしまうため、従来は光増幅器の入力側または出力側に光分岐器、光パワーモニタ、光可変減衰器および光可変減衰器を設け、光波長多重化装置から出力される波長ごとの光パワーのばらつきを抑えていた。第２の実施例の場合は、光波長多重化装置が各多重化装置から出力される光出力レベルバイトを受け、これにより各多重化装置から出力される光パワーを監視しているため、従来のように波長ごとに光分岐器、光パワーモニタ、光可変減衰器および光可変減衰器を設ける必要がなくなった。つまり第２の実施例の場合は、従来より構成が簡単になり、部品点数が少なくなる。
【０１０３】
　なお、図５の送信側の光伝送システムと対応する受信側の光伝送システムの第２の実施例を図６に示す。図６の受信側の説明については図２および図５の説明からわかるので省略する。
【０１０４】
　図７には本発明の光波長多重化装置の光出力レベル制御装置が適用される光伝送システムの送信側の第３の実施例が示されている。図７は送信部からなる二台（＃１、＃２）の多重化装置28および送信部からなる光波長多重化装置32から構成されている。図７において、図５と異なるところは、図５の光多重化回路102 から後段の回路を前段に持っていき、前段に持ってきた光多重化回路の参照符号を205 に変更し、前段に持ってきた光増幅回路112 の後段に光分岐回路206 を追加し、追加した光分岐回路206 の後段に図５の前段にあった光可変減衰器200 および202 およびそれらの制御回路を持っていき、光可変減衰器200 および202 の後段に光多重化回路208 を追加したことである。
【０１０５】
　図７の送信側の光出力レベル制御装置も基本的には図５と同様に、多重化装置28のうちの送信回路184 と、光波長多重化装置32のうちの光出力レベルバイト検出回路194 と、光出力レベル検出回路196 と、光可変減衰器制御回路198 と、光可変減衰器200 および202 とから構成されている。なお図７において図１、図５および図14と対応する部分には同じ符号を付して示し、重複説明を省略する。
【０１０６】
　なお、光多重化回路205 および208 についても参照符号は異なるが光多重化回路102 と基本機能は同じであり説明を省略する。また、光分岐回路206 についても参照符号は異なるが光分離回路122 と基本機能は同じであるので説明を省略する。
【０１０７】
　図７の動作を説明する。
【０１０８】
　図５と同様に、＃１多重化装置28の光出力レベルバイト生成回路192 は自装置28の光出力レベル値に対応する２進数からなるデジタルデータを信号線368 を介して光波長多重化装置32の光出力レベルバイト検出回路194 に送る。＃１多重化装置28の電気・光変換回路188 はD1バイトの位置に２進数からなるデジタルデータの多重化された高速光信号（波長λ１）を光ファイバ372 を介して光波長多重化装置32の光多重化回路205 に送る。また＃２多重化装置28の光出力レベルバイト生成回路192 も同様に自装置28の光出力レベル値に対応する２進数からなるデジタルデータを信号線374 を介して光波長多重化装置32の光出力レベルバイト検出回路194 に送る。＃２多重化装置28の電気・光変換回路188 もD1バイトの位置に２進数からなるデジタルデータの多重化された高速光信号（波長λ２）を光ファイバ376 を介して光波長多重化装置32の光多重化回路205 送る。
【０１０９】
　光多重化回路205 は送られてきた高速光信号372 および376 を合波して光増幅回路112 に送る。また励起光源制御回路204 は所定の制御信号を形成して励起光源回路110 に送り、励起光源回路110 は送られてきた制御信号に応じた強度の励起光信号を光増幅回路112 に送る。光増幅回路112 は光多重化回路205 からの高速光信号と励起光源回路110 からの励起光信号を合波し、合波した光信号のうちの信号光を増幅して光分岐回路206 に送る（図12(b) 参照）。光分岐回路206 は波長ごとに分波し、分波した波長λ１の高速光信号を光可変減衰器200 に送り、また分波した波長λ２の高速光信号を光可変減衰器202 に送る。
【０１１０】
　一方、光出力レベルバイト検出回路194 は、信号線368 からのデジタルデータと信号線374 からのデジタルデータを検出して光出力レベル検出回路196 に送り、光出力レベル検出回路196 は入力したデジタルデータにおけるレベル差を測定し、光可変減衰器制御回路198 に送る。光可変減衰器制御回路198 は、入力したレベル差に基づく制御信号382 および384 を生成し、生成した制御信号382 を光可変減衰器200 に送り、生成した制御信号384 を光可変減衰器202 に送る。光可変減衰器200 は制御信号382 に応じて光分岐回路206 から送られる波長λ１の高速光信号レベルを制御して出力302 に出力し、また光可変減衰器202 も制御信号384 に応じて光分岐回路206 から送られる波長λ２の高速光信号レベルを制御して出力304 に出力する。これにより出力302 および304 は各々同じレベル値となる（図12(c) 参照）。光可変減衰器200 および202 から出力された高速光信号は光多重化回路208 に送られ合波され出力390 に出力される。
【０１１１】
　このような第３の実施例によれば、図５と同様に、＃１および＃２多重化装置28から出力される光出力パワーにレベル差があっても光波長多重化装置32から出力される光出力レベルを必要な所定の一定レベルにすることができる。第３の実施例の場合も第２の実施例と同様に、光波長多重化装置が各多重化装置から出力される光出力レベルバイトを受け、これにより各多重化装置から出力される光パワーを監視しているため、従来のように波長ごとに光分岐器、光パワーモニタ、光可変減衰器および光可変減衰器を設ける必要がなくなった。つまり第３の実施例の場合も、従来より構成が簡単になり、部品点数も少なくなる。
【０１１２】
　なお、図７の送信側の光伝送システムと対応する受信側の光伝送システムの第３の実施例を図８に示す。図８の受信側の説明については図２および図７の説明からわかるので省略する。
【０１１３】
　図13には本発明の光出力レベル制御装置が適用される光波長多重化装置を含む光伝送システムの第４の実施例が示されている。図13は、双方向の光伝送システムとなっており、送受信側３は送信部からなる二台（＃１、＃２）の多重化装置50、受信部からなる二台（＃３、＃４）の多重化装置66、送信部からなる光波長多重化装置54、受信部からなる光波長多重化装置64、光多重分離回路56および保守端末またはネットワーク管理システム58から構成され、送受信側４は光多重分離回路62、受信部からなる光波長多重化装置64、受信部からなる二台（＃５、＃６）の多重化装置66、送信部からなる二台（＃７、＃８）の多重化装置50および送信部からなる光波長多重化装置54から構成されている。なお、図13の特徴は保守端末またはネットワーク管理システム58が接続されていることである。
【０１１４】
　図13に示す送受信側３の送信部からなる光波長多重化装置54、受信部からなる光波長多重化装置64および光多重分離回路56は送受信側３の光双方波長多重化装置52を構成し、また送受信側４の光多重分離回路62、受信部からなる光波長多重化装置64および送信部からなる光波長多重化装置54は送受信側４の光双方波長多重化装置60を構成している。
【０１１５】
　図13からわかるように、＃１多重化装置50は光ファイバ400、光波長多重化装置54、 光ファイバ408、光多重分離回路56、光ファイバ412、光多重分離回路62、光ファイバ418、光波長多重化装置64および光ファイバ422 を介して対向する＃５多重化装置66と接続され、＃２多重化装置50は光ファイバ402、光波長多重化装置54、 光ファイバ408、光多重分離回路56、光ファイバ412、光多重分離回路62、光ファイバ418、光波長多重化装置64および光ファイバ424 を介して対向する＃６多重化装置66と接続されている。
【０１１６】
　また同様に＃７多重化装置50は光ファイバ426、光波長多重化装置54、 光ファイバ420、光多重分離回路62、光ファイバ412、光多重分離回路56、光ファイバ410、光波長多重化装置64および光ファイバ404 を介して対向する＃３多重化装置66と接続され、＃８多重化装置50は光ファイバ428、光波長多重化装置54、 光ファイバ420、光多重分離回路62、光ファイバ412、光多重分離回路56、光ファイバ410、光波長多重化装置64および光ファイバ406 を介して対向する＃４多重化装置66と接続されている。
【０１１７】
　そして、多重化装置50の回路構成は上述した多重化装置20または28の回路構成と同じでよい。多重化装置66の回路構成は多重化装置20または28と対向する上述した多重化装置26または36の回路構成と同じでよい。光波長多重化装置54は多重化装置20または28と接続される上述した光波長多重化装置22または光波長多重化装置30または32の回路構成と同じでよい。光波長多重化装置64は光波長多重化装置22または光波長多重化装置30または32と対向する上述した光波長多重化装置24または光波長多重化装置34または38の回路構成と同じでよい。
【０１１８】
　光多重分離回路56は光合分波器から構成されており、光合分波器は入力408 から入力する波長λ１およびλ２の合波された光信号を入出力412 に出力し、入出力412 から入力する波長λ３およびλ４の合波された光信号を出力410 に出力する。また、光多重分離回路62も光合分波器から構成されており、光合分波器は入出力412 から入力する波長λ１およびλ２の合波された光信号を出力418 に出力し、入力420 から入力する波長λ３およびλ４の合波された光信号を入出力412 に出力する。
【０１１９】
　保守端末またはネットワーク管理システム58は、信号線414 を介して光波長多重化装置54と、信号線416 を介して光波長多重化装置64とそれぞれ接続されている。光波長多重化装置54での接続先は、光波長多重化装置22の場合は、たとえば波長管理バイト検出回路162 の入力332 および340、またはその出力342 でよく、光波長多重化装置30および32の場合は、たとえば光出力レベルバイト検出回路194 の入力368 および374、またはその出力378 でよい。
【０１２０】
　光波長多重化装置64での接続先は、光波長多重化装置24の場合は、たとえば波長管理バイト検出回路162 の入力356 および358、またはその出力342 でよく、光波長多重化装置34および38の場合は、たとえば光出力レベルバイト検出回路の２つの入力またはその出力でよい。したがって、保守端末またはネットワーク管理システム58は送られてきた波長数、波長値および光出力レベルなどの情報を、たとえばそのモニタに表示することができる。これにより、このシステムの状態を知ることができ、適切に管理することができる。
【０１２１】
　なお、この例ではデータの多重化位置をD1〜D3バイトとしたが多重化が可能である位置であればどの位置でもよい。またなお、この例では多重化装置はSTM-1 フレ−ム信号を出力するものであるが、STM-4、16、64 などのフレ−ム信号を出力するものでもよい。
【図面の簡単な説明】
【０１２２】
【図１】図２と組み合わせて、本発明の光出力レベル制御装置が適用される送信側の第１の実施例の機能ブロック図である。
【図２】図１と組み合わせて、本発明の光出力レベル制御装置が適用される受信側の第１の実施例の機能ブロック図である。
【図３】図１および図２の組み合わせ状態を示す図である。
【図４】図１の実施例で用いられる波長管理バイト生成回路の一例の動作説明図である。
【図５】本発明の光出力レベル制御装置が適用される送信側の第２の実施例の機能ブロック図である。
【図６】図５の送信側の第２の実施例に対応する本発明の光出力レベル制御装置が適用される受信側の第２の実施例の機能ブロック図である。
【図７】本発明の光出力レベル制御装置が適用される送信側の第３の実施例の機能ブロック図である。
【図８】図５の送信側の第３の実施例に対応する本発明の光出力レベル制御装置が適用される受信側の第３の実施例の機能ブロック図である。
【図９】図５および図７の実施例で用いられる光出力レベルバイト生成回路の一例の動作説明図である。
【図１０】従来の光波長多重化装置の一例の動作説明図である。
【図１１】図５の実施例で用いられる光波長多重化装置の一例の動作説明図である。
【図１２】図７の実施例で用いられる光波長多重化装置の一例の動作説明図である。
【図１３】本発明の光出力レベル制御装置が適用される送受信側の第４の実施例の機能ブロック図である。
【図１４】従来の光出力レベル制御装置が適用される送受信側の一例の機能ブロック図である。
【図１５】STM-1 フレーム信号のフレーム構造を示す一例の説明図である。
【図１６】図14で用いられる光増幅器の動作を示す一例の説明図である。
【図１７】図14で用いられる光増幅器の動作を示す一例の説明図である。
【図１８】図14で用いられる光増幅器の動作を示す一例の説明図である。
【図１９】図14で用いられる光増幅器の動作を示す一例の説明図である。
【図２０】図14で用いられる光増幅器の動作を示す一例の説明図である。
【符号の説明】
【０１２３】
　10、16、20、26、28、36、50、66　多重化装置
　12、14、24、30、32、34、38、54、64　光波長多重化装置
　52、60　光双方向波長多重化装置
　56　光多重分離回路
　102、205、208 　光多重化回路
　104 　多重数設定回路
　106、204 　励起光源制御回路
　108 　光増幅器
　110 　励起光源回路
　112 　光増幅回路
　122 　光分離回路
　150 　多重化回路
　152、184 　送信回路
　154 　波長値生成回路
　156 　波長管理バイト生成回路
　158 　波長管理バイト挿入回路
　160、188 　電気・光変換回路
　162 　波長管理バイト検出回路
　164 　波長数カウント回路
　172 　受信回路
　174 　光・電気変換回路
　176 　波長管理バイト抽出回路
　178 　波長管理バイト解釈回路
　180 　分離回路
　186 　光出力レベルバイト挿入回路
　190 　光出力バイト生成回路
　192 　光出力レベルバイト生成回路
　194 　光出力レベルバイト検出回路
　196 　光出力レベル検出回路
　198 　光可変減衰器制御回路
　200、202 　光可変減衰器
　206 　光分岐回路
【図１】
2004007813.tif 000003
【図２】
2004007813.tif 000004
【図３】
2004007813.tif 000005
【図４】
2004007813.tif 000006
【図５】
2004007813.tif 000007
【図６】
2004007813.tif 000008
【図７】
2004007813.tif 000009
【図８】
2004007813.tif 000010
【図９】
2004007813.tif 000011
【図１０】
2004007813.tif 000012
【図１１】
2004007813.tif 000013
【図１２】
2004007813.tif 000014
【図１３】
2004007813.tif 000015
【図１４】
2004007813.tif 000016
【図１５】
2004007813.tif 000017
【図１６】
2004007813.tif 000018
【図１７】
2004007813.tif 000019
【図１８】
2004007813.tif 000020
【図１９】
2004007813.tif 000021
【図２０】
2004007813.tif 000022